(57)【要約】【課題】法面を流れる表層水を内部に貯留して、内部に収容された種子の発芽・生長に必要な水分を供給する植生袋を提供する。  【解決手段】袋体４に植生基盤材３を収納してなる植生袋１において、植生基盤材（土壌又は土壌と肥料等の混合物）又は保水材を半割にした竹材２に充填して袋体４に挿入する。植生基盤材に種子を混合しても良い。また、植生袋１は、竹材２の長手方向が法面の等高線に平行であって、竹材２の半割面が前記法面の上部を向くように敷設される。  【選択図】        図２
2006177098.tif 000002
【特許請求の範囲】
【請求項１】
袋体に植生基盤材又は保水材を封入してなる植生袋において、植生基盤材又は保水材を半割にした竹材に充填して前記袋体に挿入してなることを特徴とする植生袋。
【請求項２】
前記保水材は竹の粉末であることを特徴とする請求項１に記載の植生袋。
【請求項３】
前記袋体は生分解される材料で構成されていることを特徴とする請求項１又は２に記載の植生袋。
【請求項４】
前記袋体は天然材料で構成されていることを特徴とする請求項３に記載の植生袋。
【請求項５】
前記袋体は生分解性プラスチックで構成されていることを特徴とする請求項３に記載の植生袋。
【請求項６】
前記袋体は平行に配列された複数の筒状部を備え、前記各筒状部に前記植生基盤材又は前記保水材と前記竹材を挿入してなることを特徴とする請求項１乃至５の何れかに記載の植生袋。
【請求項７】
法面に植生袋を設置する法面緑化工法であって、請求項１乃至６の何れかに記載の植生袋を、前記竹材の長手方向が法面の等高線に平行であって、前記竹材の半割面が前記法面の上部を向くように敷設することを特徴とする法面緑化工法。
【請求項８】
前記植生袋を敷設した法面に対し、種子と培土を混合した種子混合培土を吹き付けることを特徴とする請求項７に記載の法面緑化工法。
【発明の詳細な説明】
【技術分野】
【０００１】
本発明は、植生基盤材を充填した植生袋および植生袋を使用する法面緑化工法に関する。
【背景技術】
【０００２】
切土あるいは盛土によって生じた斜面（法面）を保護するとともに、法面に植生を導入して景観を向上するために、法面に種子・肥料・養生材および水の混合物を散布する種子散布工、培養土・肥料・種子および水の混合物（植生基盤材）を法面に吹き付ける植生基材吹付工、内部または表面に種子を貼り付けたシートあるいはマットで法面を覆う植生シート工・植生マット工、あるいは培養土・肥料および種子の混合物を充填した植生袋を法面に固定する植生袋工などの方法による法面緑化が行われる。
【０００３】
上記のような工法で種子や植生基盤材を法面に散布等しても、急勾配の法面、岩盤が露出した法面あるいはモルタルを吹き付けた法面などでは、降水が法面の表層を流れ去るのみで、法面に留まらないので、種子の発芽・生長に必要な水分が得られず、法面に播種された植物が枯死する、あるいは発芽できないという問題があった。そのため、法面の表層を流れる水を貯留して、種子の発芽・生長を促すことを目的とする発明が種々、提案されている。
【０００４】
例えば、特許文献１には、植生基盤材を収納した土嚢の表皮の一部を不透水性の材料で構成して、内部に水を貯留するようにした土嚢が提案されている。
【０００５】
また、特許文献２には、半割にした竹材を法面に配置して、その竹材の中に植生基材を充填する法面の緑化工法が提案されている。
【０００６】
また、特許文献３には、半割竹材の長手方向を法面の横断方向に向け、かつ法面方向に間隔をおいて複数の半割竹材を配置して、前記半割竹材と前記法面を植生基盤材で覆った法面構造が提案されている。
【０００７】
【特許文献１】特開２００３−１７６５３号公報
【特許文献２】特開２００３−５５９７３号公報
【特許文献３】特開２００３−８６６７２号公報
【発明の開示】
【発明が解決しようとする課題】
【０００８】
特許文献１で開示された土嚢は、法面を流れる表層水を内部に貯留するので、土嚢に収容された植生基盤材中の種子の発芽・生長に必要な水分を供給することが出来るが、透水性の無い材料は腐植・分解しないから、土中に残留して、ゴミとなって流出するという問題があった。
【０００９】
特許文献２で開示された緑化工法は、法面を流れる表層水を半割にした竹材で受けて貯留するので、植生基材中の種子の発芽・生長に必要な水分を供給することが出来るが、竹材を配置・固定する工程と、法面に植生基材を散布する工程の２工程を必要とするので、作業能率が低いという問題があった。
【００１０】
特許文献３で開示された法面構造は、植生基盤内を流れる水を半割にした竹材で受けて貯留するので、種子の発芽・生長に必要な水分を供給することが出来るが、特許文献２の緑化工法と同様に、竹材を配置・固定する工程と、法面を植生基盤材で覆う工程の２工程を必要とするので、作業能率が低いという問題があった。
【００１１】
本発明は、このような問題を解決するために成されたものであり、法面を流れる表層水を内部に貯留して、内部に収容された種子の発芽・生長に必要な水分を供給する植生袋を提供するとともに、法面上での作業量の少ない、能率的な法面緑化工法を提供することを目的とするものである。  
【課題を解決するための手段】
【００１２】
本発明の植生袋の第１の構成は、袋体に植生基盤材又は保水材を封入してなる植生袋において、植生基盤材又は保水材を半割にした竹材に充填して前記袋体に挿入してなることを特徴とする。
【００１３】
植生袋は、その自重で撓んで変形するので、取り扱いが煩わしいが、この構成によれば、半割にした竹材を袋体に挿入しているので、植生袋は変形しなくなる。このため、植生袋の取り扱いが容易になる。また、植生袋の両端のみで支持して吊り下げることが可能になるので、垂直な壁面の緑化に好適である。
【００１４】
ここで、植生基盤材とは、土壌あるいは土壌とバーク堆肥および化成肥料等を混合した混合物をいう。また、植生基盤材に種子を混合してもよい。また、施工地域の植生の種子を含む表土を植生基盤材にすれば、施工地域の生態系を乱すおそれがないから、更に好適である。
【００１５】
本発明の植生袋の第２の構成は、前記第１の構成において、前記保水材は竹の粉末であることを特徴とする。
【００１６】
竹の粉末は腐植して土と同化するので、この構成によれば環境汚染を防止する効果がある。
【００１７】
本発明の植生袋の第３の構成は、前記第１又は第２の構成において、前記袋体は生分解される材料で構成されていることを特徴とする。
【００１８】
この構成によれば、袋体が生分解される材料で構成されているので、法面緑化が完成した後の植生袋は土壌に同化する。そのため、袋体が地中に永久に残って環境を汚染したり、景観を乱すことがない。また、地中に残った植生袋が植物の根の生長を妨げることもない。
【００１９】
本発明の植生袋の第４の構成は、前記第３の構成において、前記前記袋体は天然材料で構成されていることを特徴とする。
【００２０】
本発明の植生袋の第５の構成は、前記第３の構成において、前記袋体は生分解性プラスチックで構成されていることを特徴とする。
【００２１】
本発明の植生袋の第６の構成は、前記第１乃至第５の構成において、前記袋体は平行に配列された複数の筒状部を備え、各筒状部に前記竹材と前記植生基盤材又は前記保水材を挿入してなることを特徴とする。
【００２２】
この構成によれば、植生基材を充填した複数本の竹材を１個の袋体に平行に取り付けたので、複数本の植生袋を一括して法面に配置でき、法面上での作業能率が向上する。なお
袋体の平面形状は特に限定されないので、植生袋を敷設する場所の形状に応じた平面形を自由に選択できる。例えば、三角形あるいは台形であってもよい。
【００２３】
本発明の法面緑化工法の第１の構成は、法面に植生袋を設置する法面緑化方法であって、前記第１乃至第６の構成の植生袋を、前記竹材の長手方向が法面の等高線に平行であって、前記竹材の半割面が前記法面の上部を向くように敷設することを特徴とする。
【００２４】
この構成によれば、竹材の長手方向が法面の等高線に平行であって、前記竹材の半割面が前記法面の上部を向くように設置されているので、法面を流れる水を竹材の内部に貯留して植生基盤材に供給し、種子の発芽・生長を促して、法面を早期に緑化することができる。
【００２５】
本発明の法面緑化工法の第２の構成は、前記第１の構成において、前記植生袋を敷設した法面に対し、種子と培土を混合した種子混合培土を吹き付けることを特徴とする。
【００２６】
この構成によれば、法面を流れる水を種子混合培土の下に埋められた植生袋の内部に貯留して種子混合培土に供給するので、種子の発芽・生長を促して、法面を早期に緑化することができる。
【発明の効果】
【００２７】
以上説明したように、本発明の植生袋は法面を流れる表層水を半割にした竹材で受けて貯水するので、降水量の少ない場所や季節であっても、種子の発芽・生長を促進して、早期に法面を緑化することができる。また、本発明の法面緑化工法によれば、植生基盤材と表層水を貯留するための竹材を１工程で法面に設置できるので、作業の能率が向上する。そのため、本発明は法面緑化工事の質の向上と作業能率の向上に資するところが大きい。
また、副次的な効果ではあるが、建築材料等としての需要の減少で余剰となっていた竹材を有効利用することにより、山間地の産業の振興に資する効果も期待できる。
【発明を実施するための最良の形態】
【００２８】
以下、本発明を実施するための最良の形態について、図面を参照しながら説明する。
【実施例１】
【００２９】
図１は本発明の実施例１に係る植生袋１の斜視図であり、図２は模式的な横断面図である。植生袋１は、半割にした竹材２に植生基盤材３を充填したものを、袋体４に挿入して構成されている。なお、図が煩雑になるのを避けるために、図１では植生基盤材３の図示を省略している。
【００３０】
竹材２は、直径１０ｃｍ程度の竹を半割した物である。長さは用途に応じて選べば良いが、１ｍ程度のものが使いやすい。また、竹材の両端に節を残しておくと、両端から水が流れ出ないので、貯水性が向上するが、設置場所の環境によっては貯水性が良すぎると根腐れ等の障害が発生する場合があるので、節を全て除去してもよい。なお、竹材２に使用する竹の種類は限定されないが、１０ｃｍ程度の直径が必要なので、孟宗竹や真竹などが好適である。
【００３１】
植生基盤材３は、土壌、バーク堆肥、竹の粉末、化成肥料及び種子の混合物である。植生基盤材３は、竹材２に大きく盛り上げて充填され、竹材２と一緒に袋体４に収納される。なお、竹の粉末は保水材として好適であり、しかも植生袋の役割を終えた後は腐植して、土に同化するので環境を汚染することがない。
【００３２】
また、植生基盤材３に代えて、種子を含まない土壌あるいは土壌と肥料等の混合物を植生基盤材にしてもよい。この場合、植生袋１を法面に敷設した後に、植生袋１の上に種子を播種する。また、施工地域の植生の種子を含む表土を採取して、これを植生基盤材として袋体４に封入してもよい。また、植生基盤材３に代えて保水材（例えば、高分子ポリマーあるいは竹の粉末）を袋体４に封入してもよい。
【００３３】
袋体４は、ポリエチレン製の薄膜を幅３ｍｍ程度のリボン状にした所謂テープヤーンからなる経糸５を緯糸６でとじ合わせた網状のシートを不織布７で裏打ちした物を筒状に縫い合わせて、両端を閉じた袋である。不織布７は、袋体４の内部に収納した植生基盤材３がこぼれ出るのを防ぐものであり、目が粗く透水性のあるものを選ぶ。また不織布７は、植生基盤材３中の種子が発芽する時に、突き破れる程度に、柔らかい材料を選ぶ。なお、袋体４の端部には、鳩目８で補強された孔が穿たれている。この孔は、植生袋１を法面に固定するためのアンカーピンを通すための孔である。
【００３４】
なお、ここでは、袋体４を、ポリエチレン製の網状のシートと不織布で構成したが、袋体を生分解する材料で構成して、植生袋１中の種子が発芽・生長して法面に植生が形成されたとき、つまり植生袋１の役割が終わった時に、土壌に同化するようにすれば、植生基盤材３は本来「土」であり、竹材２も腐植して土壌に同化するから、地中にゴミが残らない。また、植生袋１が土壌に同化すれば、法面に形成された植生を根の生長を妨げるものが無くなるので、植生の生育に好都合である。また、生分解する材料は、綿、麻、棕櫚、藁などの天然材料の他、いわゆる生分解性プラスチックの中から、用途に応じた材料を選ぶ。
【実施例２】
【００３５】
図３は本発明の実施例２に係る植生袋９の平面図である。植生袋９は、シート体１０に、平行に配列された４本の筒状部１１を形成し、植生基盤材３を竹材２に充填して各筒状部１１に挿入してなるものであり、シート体１０の４隅に鳩目８で補強された孔が穿たれている。
【００３６】
シート体１０および筒状部１１は、前述の袋体４と同様に、ポリエチレン製のリボン状の経糸を緯糸で繋いだ網状のシートを不織布で裏打ちした物で構成されているが、生分解性の材料で構成してもよい。また、竹材２および植生基盤材３は実施例１で説明したものと同じものである。
【００３７】
このように、植生袋９は、実施例１に示した植生袋１の４個分の竹材２および植生基盤材３を一体にした物であるから、法面に植生袋を配置・固定する作業の能率が向上する。また、植生袋９は垂直な壁面にカーテンのように吊り下げて使うこともできるので、法面緑化のみならず、壁面緑化用の資材としても利用できる。
【実施例３】
【００３８】
図４は本発明の実施例３に係る法面１２の断面図であり、実施例１に示した植生袋１を利用した法面緑化工法の説明図である。法面１２には、植生袋１を竹材２の長手方向が法面１２の等高線に平行に敷設、つまり竹材２の長手方向が水平であり、かつ、竹材２の半割面が法面１２に垂直であって、法面１２の上部を向くように敷設されている。
【００３９】
植生袋１をこのように配置しているので、法面１２を流れる表層水は、竹材２で受け止められて、植生袋１の中に貯留されて、植生基盤材３の中の種子に水分を供給するので、種子は植生袋１を突き破って発芽して植物１３になる。なお、法面を流れる水の量は、季節や地域によって変わるから、水量が多く、植物の根腐れが予想される場合は、最適な貯水が行われるように、竹材２の節を除去、あるいは竹材２に水抜き穴を穿って、余分な水を排出するようにしてもよい。
【００４０】
また、図５に示すように、植生袋１を竹材２の半割面が真上を向くように法面１２上に敷設して、その上にラス網１４を張って、更にその上に種子と培土を混合した種子混合培土１５を吹き付けて、法面１２を階段状にしてもよい。この場合、植生袋１の内部には、種子を含まない植生基盤材３あるいは保水材を封入する。なお、植生袋１を法面に固定するアンカーピンを竹製あるいは木製の杭に代えれば、これらも土に同化するので、環境の保全に資する。
【図面の簡単な説明】
【００４１】
【図１】本発明の実施例１に係る植生袋の斜視図である。
【図２】本発明の実施例１に係る植生袋の断面図である。
【図３】本発明の実施例２に係る植生袋の平面図である。
【図４】本発明の実施例３に係る法面の断面図である。
【図５】本発明の実施例３に係る法面の断面図である。
【符号の説明】
【００４２】
１  植生袋  
２  竹材  
３  植生基盤材
４  袋体
５  経糸
６  緯糸
７  不織布
８  鳩目
９  植生袋
１０  シート体
１１  筒状部
１２  法面
１３  植物
１４  ラス網
１５  種子混合培土
【図１】
2006177098.tif 000003
【図２】
2006177098.tif 000004
【図３】
2006177098.tif 000005
【図４】
2006177098.tif 000006
【図５】
2006177098.tif 000007